(57)【要約】      （修正有）【課題】１枚の台紙にて包装用箱の箱本体と蓋体と支持体とを形成することができ、支持体は、ゴルフクラブを２箇所で支持するゴルフクラブ用包装箱を提供する。【解決手段】１枚の台紙Ｐにて蓋板２０と、箱体と、支持体とを形成する。箱体の長手側縁に沿って形成された支持側板３０Ｂと、支持側板３０Ｂに平行に形成される支持底板３０Ａとで支持体を設ける。支持底板３０Ａに、山形に屈曲される支持板３１Ｂを設ける。ゴルフクラブのシャフトを支持せしめる支持溝３１Ａを支持板３１Ｂに設ける。支持底板３０Ａの長手一端部にグリップ支持体３２を構成する。グリップ支持体３２にグリップを挿通せしめる挿通口３２Ａを開穿する。【選択図】図１
0003196879.tif 000002
【実用新案登録請求の範囲】
【請求項１】
１枚の台紙にて蓋板と、箱体と、箱体内でゴルフクラブを支持する支持体とを形成する紙製のゴルフクラブ用包装箱において、台紙の中央に箱体を構成する底板と、該底板の両側に配置する一対の側板とを形成し、一方の側板の長手側縁に沿って蓋板が形成されると共に、他方の側板の長手側縁に沿って支持体が形成され、該支持体は、前記他方の側板の長手側縁に沿って形成された支持側板と、該支持側板に平行に形成される支持底板とを備え、該支持底板の長手中央部位に、山形に屈曲され且つ、ゴルフクラブのシャフトを挟着支持する支持溝を備えたシャフト支持体を構成すると共に、支持底板の長手一端部に、支持底板から折り上げるグリップ支持体を構成し、該グリップ支持体にゴルフクラブのグリップを挿通せしめる挿通口を開穿したことを特徴とするゴルフクラブ用包装箱。
【請求項２】
前記シャフト支持体は、前記支持底板から延長され山形に屈曲する一対の支持板と、該支持板の突出部分に形成された前記支持溝と、各支持板の長手両側縁部から延長され、前記箱体の底板に当接する当接片とで構成された請求項１記載のゴルフクラブ用包装箱。
【請求項３】
前記グリップ支持体は、前記支持底板の一端部からグリップ挿入片と嵌合片と支持片とが順次連設され、側面台形状に屈曲されたグリップ支持体のグリップ挿入片に前記挿通口を開穿した請求項１記載のゴルフクラブ用包装箱。
【請求項４】
前記シャフト支持体の前記支持溝は、前記シャフトを挿入する溝部と、該溝部の内側に延長され、前記シャフトの側面に圧着する固定片とで構成された請求項２記載のゴルフクラブ用包装箱。
【考案の詳細な説明】
【技術分野】
【０００１】
本考案は、ドライバーなどのゴルフクラブを搬送するために使用するゴルフクラブ用包装箱に関するものである。
【背景技術】
【０００２】
従来のゴルフクラブ用包装箱として、例えば特許文献１に記載のゴルフクラブ用包装箱や、特許文献２のゴルフクラブの包装用箱が提案されている。
【０００３】
特許文献１のゴルフクラブ用包装箱は、部品点数を削減して収納および組立作業性を向上させるように構成したもので、箱本体の側壁に、ゴルフクラブのシャフトを位置決め支持する支持部を設けている。そして、この支持部は、箱本体を折り曲げることで形成できるように構成したものである。
【０００４】
このような構成により、包装箱の構成部品は、支持部を形成するための別部材は必要なくなり、箱本体と蓋体との最低２個で包装箱が完成するので、組立作業性の向上や、コストダウンを図ることができるというものである。
【０００５】
一方、特許文献２に記載のゴルフクラブの包装用箱では、包装用箱の箱本体と蓋体とを１枚の台紙にて形成することで、輸送や保管の際の取扱いを便利にしている。更に、この包装用箱は、シャフトを支持するシャフト支持壁を、箱本体と一体に形成することで、更に、組立作業性の向上や、コストダウンを実現している。
【先行技術文献】
【特許文献】
【０００６】
【特許文献１】特許第４２３３４１３号公報
【特許文献２】特開平８-１８３５２４号公報
【考案の概要】
【考案が解決しようとする課題】
【０００７】
特許文献１に記載のゴルフクラブ用包装箱によると、シャフトを２箇所で支持する支持部を箱本体の内部に形成することが可能になっている。ところが、箱本体の他に別途蓋体を設ける必要があるので、製造工程や組み立て工程などで常に複数の工程が必要になり、しかも輸送や保管の際の取扱いに不都合が生じるものであった。
【０００８】
一方、特許文献２に記載のゴルフクラブの包装用箱では、箱本体と蓋体とシャフト支持壁とを１枚の台紙で形成するので、複数の工程は不要になり、輸送や保管の際の取扱いにも便利である。ところが、箱本体と一体に形成するシャフト支持壁は、ゴルフクラブの一箇所を支持する構成のため、収納時の安定性に課題を残している。
【０００９】
すなわち、この包装用箱のシャフト支持壁は、ヘッド部分を囲んで支持する構成となっているため、箱体内部で支持固定されているのはクラブのヘッド部分に限られ、クラブのグリップ側はフリーな状態で収納されるものである。この結果、移送中に、グリップ側が移動する虞があるなど、収納時の安定性に欠けるものであった。
【００１０】
特に、特許文献２に記載のシャフト支持壁は、特に大型のゴルフクラブであるドライバーを支持するように構成している。ところが、このドライバーは、クラブのシャフトも長くなっているので、ヘッドのみをシャフト支持壁で支持しても、グリップ側を支持しなければ、長いシャフトが移動して箱本体の内壁に衝突するおそれもある。ドライバーを安全に支持するには、ヘッド側とグリップ側の２箇所を支持する必要がある。
【００１１】
そこで本考案は、上述の課題を解消すべく創出されたもので、１枚の台紙にて包装用箱の箱本体と蓋体とシャフトを支持する支持体とを形成することができ、しかも、支持体は、ゴルフクラブのヘッド側とグリップ側との２箇所で確実に支持することができるゴルフクラブ用包装箱の提供を目的とするものである。
【課題を解決するための手段】
【００１２】
上述の目的を達成すべく本考案における第１の手段は、１枚の台紙Ｐにて蓋板２０と、箱体１０と、箱体１０内でゴルフクラブＣを支持する支持体３０とを形成する紙製のゴルフクラブ用包装箱において、台紙Ｐの中央に箱体１０を構成する底板１０Ａと、該底板１０Ａの両側に配置する一対の側板１０Ｂ、１０Ｃとを形成し、一方の側板１０Ｂの長手側縁に沿って蓋板２０が形成されると共に、他方の側板１０Ｃの長手側縁に沿って支持体３０が形成され、該支持体３０は、前記他方の側板１０Ｃの長手側縁に沿って形成された支持側板３０Ｂと、該支持側板３０Ｂに平行に形成される支持底板３０Ａとを備え、該支持底板３０Ａの長手中央部位に、山形に屈曲され且つ、ゴルフクラブＣのシャフトＣ１を挟着支持する支持溝３１Ａを備えたシャフト支持体３１を構成すると共に、支持底板３０Ａの長手一端部に、支持底板３０Ａから折り上げるグリップ支持体３２を構成し、該グリップ支持体３２にゴルフクラブＣのグリップＣ２を挿通せしめる挿通口３２Ａを開穿したことにある。
【００１３】
第２の手段において、前記シャフト支持体３１は、前記支持底板３０Ａから延長され山形に屈曲する一対の支持板３１Ｂと、該支持板３１Ｂの突出部分に形成された前記支持溝３１Ａと、各支持板３１Ｂの長手両側縁部から延長され、前記箱体１０の底板１０Ａに当接する当接片３１Ｃとで構成されたものである。
【００１４】
第３の手段において、前記グリップ支持体３２は、前記支持底板３０Ａの一端部からグリップ挿入片３２Ｂと嵌合片３２Ｃと支持片３２Ｄとが順次連設され、側面台形状に屈曲されたグリップ支持体３２のグリップ挿入片３２Ｂに前記挿通口３２Ａを開穿している。
【００１５】
第４の手段において、前記シャフト支持体３１の前記支持溝３１Ａは、前記シャフトＣ１を挿入する溝部３１Ａａと、該溝部３１Ａａの内側に延長され、前記シャフトＣ１の側面に圧着する固定片３１Ａｂとで構成されている。
【考案の効果】
【００１６】
請求項１のごとく、包装用箱の箱体１０と蓋板２０と支持体３０とを１枚の台紙にて形成することができる。この結果、製造工程や組み立て工程などで複数の工程は不要になり、輸送や保管の際の取扱いにも便利なゴルフクラブ用包装箱でゴルフクラブＣを安全に搬送することが可能になった。
【００１７】
しかも、支持溝３１Ａと挿通口３２Ａとで、ゴルフクラブＣのヘッド側とグリップ側との２箇所を支持することも可能になる。したがって、移送中に、グリップ側が移動するといった虞は解消し、たとえ大型のゴルフクラブであるドライバーを支持しても、収納時の安定性を高めることができ、ドライバーを安全に搬送することができるものである。
【００１８】
請求項２のように、シャフト支持体３１は支持板３１Ｂ、当接片３１Ｃとで構成され、支持板３１Ｂの突出部分に支持溝３１Ａを形成したことで、ゴルフクラブＣのシャフトＣ１を確実に挟着支持することができる。
【００１９】
請求項３のごとく、グリップ支持体３２は、支持底板３０Ａの一端部からグリップ挿入片３２Ｂと嵌合片３２Ｃと支持片３２Ｄとが順次連設され、側面台形状に屈曲されたグリップ支持体３２のグリップ挿入片３２Ｂに挿通口３２Ａを開穿することで、挿通口３２Ａに挿入したグリップＣ２の端部を確実に支持することができる。
【００２０】
請求項４のように、シャフト支持体３１の支持溝３１Ａは、シャフトＣ１を挿入する溝部３１Ａａと、該溝部３１Ａａの内側に延長され、シャフトＣ１の側面に圧着する固定片３１Ａｂとで構成することで、支持溝３１Ａに挿入したシャフトＣ１の側面は、固定片３１Ａｂにて圧着した状態で固定されるので、シャフトＣ１の太さが異なるゴルフクラブＣでも確実に支持することができるものである。
【図面の簡単な説明】
【００２１】
【図１】本考案の一実施例を示す台紙の展開図である。
【図２】本考案の組み立て状態を示す斜視図である。
【図３】本考案の組み立て状態を示す斜視図である。
【図４】本考案の組み立て状態を示す斜視図である。
【図５】本考案の収納状態を示す斜視図である。
【図６】本考案の施蓋状態を示す斜視図である。
【図７】本考案の支持溝を示す要部斜視図である。
【考案を実施するための形態】
【００２２】
このように本考案によると、１枚の台紙にて包装用箱の箱本体と蓋体と支持体とを形成することができ、しかも、支持体は、ゴルフクラブのヘッド側とグリップ側との２箇所で支持することができるなどといった当初の目的を実現した。
【００２３】
以下、本考案の実施例を説明する。図において示される符号Ｐは、本考案包装箱を組み立てる１枚の台紙を示している（図１参照）。この台紙Ｐを折りたたむことで、箱体１０、蓋板２０、支持体３０が一体に構成されるものである。
【００２４】
台紙Ｐの中央に箱体１０を構成する部材を配し、この箱体１０の部材の一方の長手側縁に蓋板２０を構成する部材を配置している（図２参照）。また、他方の長手側縁に支持体３０を構成する部材を配置している。
【００２５】
すなわち、箱体１０を構成する部材は、底板１０Ａと左右の側板１０Ｂ、１０Ｃとで形成されている（図１参照）。本考案では説明の便宜上、図１の展開図を基に左右と上下を示している。例えば、底板１０Ａの右側に側板１０Ｂを配置し、左側に側板１０Ｃを配置する、というごとくである。
【００２６】
このような箱体１０を中心にして右側に蓋板２０を配置し、左側に支持体３０の部材を配置している（図２参照）。すなわち、蓋板２０は、箱体１０の側板１０Ｂの右がわに連続形成されている。また、支持体３０は、箱体１０の側板１０Ｃの左側に連続形成されたものである。
【００２７】
図示例では、底板１０Ａの上下端部に屈曲片１１を設け、該屈曲片１１の左右に重合片１２、１３を連設している。この重合片１２、１３は、箱体１０組み立て時に側板１０Ｂや側板１０Ｃの内側に重合する部位である（図２参照）。また、蓋板２０の上下端部にも屈曲片２１を設けている。更に、蓋板２０の右側縁に、上下一対の差込片２２を突設すると共に、側板１０Ｃと支持側板３０Ｂとの境界部分に上下一対の差込口１４を設け、該差込口１４に差込片２２を差込むことで、施蓋時の蓋板２０を固定するように構成している（図６参照）。
【００２８】
支持体３０は、側板１０Ｃの左側に沿って形成された支持側板３０Ｂと、該支持側板３０Ｂの左がわに平行に形成された支持底板３０Ａとを備えている（図１参照）。支持側板３０Ｂは、箱体１０の側板１０Ｃに重なる部材である（図３参照）。一方、支持底板３０Ａは、箱体１０の底板１０Ａに重なるように構成している。
【００２９】
この支持底板３０Ａには、更に、シャフト支持体３１とグリップ支持体３２とを配置している（図２参照）。
【００３０】
シャフト支持体３１は、支持底板３０Ａの長手中央部位近傍に形成され、山形に屈曲される部位である（図４参照）。このシャフト支持体３１には、更に、ゴルフクラブＣのシャフトＣ１を挟着支持する支持溝３１Ａを設けている。
【００３１】
図示のシャフト支持体３１は、支持溝３１Ａを設ける一対の支持板３１Ｂと、各支持板３１Ｂの左右側縁部から延長された当接片３１Ｃとで構成している（図１参照）。支持板３１Ｂは、支持底板３０Ａから延長され山形に屈曲する部位である（図４参照）。この支持板３１Ｂの突出部分に支持溝３１Ａを形成している。一方、当接片３１Ｃは、箱体１０の底板１０Ａに当接し、支持板３１Ｂの屈曲形状を維持する部位である。
【００３２】
シャフト支持体３１の支持溝３１Ａは、シャフトＣ１の径が異なっても確実に挟着できる構造に構成している。すなわち、この支持溝３１Ａは、シャフトＣ１を挿入する溝部３１Ａａと、該溝部３１Ａａの内側に延長され、シャフトＣ１の側面に圧着する固定片３１Ａｂとを設けたものである（図７参照）。したがって、溝部３１Ａａに挿入するシャフトＣ１の径がどのようなサイズであっても、固定片３１Ａｂが対応して圧着固定することができる。
【００３３】
グリップ支持体３２は支持底板３０Ａの上端部から連設される部位である（図１参照）。図示例では、支持底板３０Ａから折り上げるように構成し、支持底板３０Ａの上端部から、グリップ挿入片３２Ｂと嵌合片３２Ｃと支持片３２Ｄとが順次連設されている。
【００３４】
挿通口３２Ａを開穿するグリップ挿入片３２Ｂは、支持片３２Ｄと共に、グリップ支持体３２を支持する部位であり、また、嵌合片３２Ｃはグリップ支持体３２の天板を構成する部位になっている（図４参照）。そして挿通口３２ＡにゴルフクラブＣのグリップＣ２を挿通すると、グリップ支持体３２が該グリップＣ２を保持するものである（図５参照）。
【００３５】
尚、台紙Ｐの形状は図示例に限定されるものではなく、本考案の主要な構成以外の部位の変更は任意であり、材質等の変更も可能である。
【符号の説明】
【００３６】
Ｃ  ゴルフクラブ
Ｃ１  シャフト
Ｃ２  グリップ
Ｐ  台紙
１０  箱体
１０Ａ  底板
１０Ｂ  側板
１０Ｃ  側板
１１  屈曲片
１２  屈曲片
１３  屈曲片
１４  差込口
２０  蓋板
２１  屈曲片
２２  差込片
３０  支持体
３０Ａ  支持底板
３０Ｂ  支持側板
３１  シャフト支持体
３１Ａ  支持溝
３１Ａａ  溝部
３１Ａｂ  固定片
３１Ｂ  支持板
３１Ｃ  当接片
３２  グリップ支持体
３２Ａ  挿通口
３２Ｂ  グリップ挿入片
３２Ｃ  嵌合片
３２Ｄ  支持片
【図１】
0003196879.tif 000003
【図２】
0003196879.tif 000004
【図３】
0003196879.tif 000005
【図４】
0003196879.tif 000006
【図５】
0003196879.tif 000007
【図６】
0003196879.tif 000008
【図７】
0003196879.tif 000009